(57)【要約】      （修正有）【課題】使用しない時、ある信号端子を保護し、使用する時、使用目的である電気的に接触することができるカード読取装置を提供する。【解決手段】内部にあるカード収納空間において、軸着部が設けられる絶縁主体と、絶縁主体上に設けられる、複数の信号端子組と、浮き上げ板と弾性素子とを有し、収納空間を有する浮き上げ板の一辺が軸着部に軸着され、これらの弾性素子が、浮き上げ板と絶縁主体との間に設けられる、浮き上げ機構と、があり、一つの信号端子組の各接触部は、収納空間に対応し、もう一つの信号端子組の各当該端部は、浮き上げ板のもう一辺に対応する。【選択図】図５
0003109587.tif 000002
【実用新案登録請求の範囲】
【請求項１】
１、一種、包括：内部にあるカード収納空間において、対向する位置に、夫々、二つの軸着部が設けられる、絶縁主体と、
当該絶縁主体に設けられ、各当該信号端子組の各当該信号端子に、夫々、接触部があり、各当該接触部の末端に形成される端部がある、複数の信号端子組と、
収納空間がある浮き上げ板と、当該浮き上げ板と絶縁主体との間に設けられる弾性素子と、を有し、当該浮き上げ板の一辺の両端が前記の軸着部に軸着され、前記の一つの信号端子組の各当該接触部が、当該収納空間に対応し、前記のもう一つの信号端子組の各当該端部が、当該浮き上げ板のもう一辺に対応する、浮き上げ機構と、があることを特徴とするカード読取装置。
【請求項２】
浮き上げ機構の浮き上げ板において、その一辺の両端には、更に、夫々、軸着軸が設けられ、各当該軸着軸は、夫々、前記の絶縁主体の軸着部内に軸着されることを特徴とする請求項1に記載のカード読取装置。
【請求項３】
浮き上げ機構の浮き上げ板において、その二つの軸着軸と浮き上げ板との間には、更に、夫々、突出が接続され、各当該軸着部は、各当該軸着軸を収納するための、絶縁主体内側壁の内へ凹む凹槽状で、各当該突出自身の高さは、前記のカード収納空間の高さと同じであることを特徴とする請求項２に記載のカード読取装置。
【請求項４】
浮き上げ機構の浮き上げ板において、軸着する時に使用される当該辺は、当該絶縁主体のカード引き受け口の近くに位置し、当該浮き上げ板の当該辺には、更に、湾曲部が設けられ、当該湾曲部は、当該浮き上げ板の当該辺が当該絶縁主体に対応する位置に止められることを特徴とする請求項1に記載のカード読取装置。
【請求項５】
浮き上げ機構の浮き上げ板においては、更に、二つの翼部が設けられ、当該絶縁主体に対応する位置には、二つの制限構造が設けられ、当該二つの翼部は、対応する制限構造の制限に従って動かすことを特徴とする請求項1に記載のカード読取装置。
【請求項６】
絶縁主体の各当該制限構造には、絶縁主体上に設けられる凹槽と、半分ぐらいに当該凹槽上を覆うストッパーとがあり、当該ストッパーは、絶縁主体上に固定され、当該浮き上げ板の二つの翼部は、対応する凹槽内へ湾曲して入ることにより、ストッパーによって制限されることを特徴とする請求項５に記載のカード読取装置。
【請求項７】
浮き上げ機構の浮き上げ板と絶縁主体と隣接する鄰接面には、夫々、複数の第２の定位部と、複数の第１の定位部が設けられ、当該浮き上げ機構の弾性素子は、当該絶縁主体の各当該第１の定位部上に設置され、各当該弾性素子の末端は、各当該第２の定位部に当接することを特徴とする請求項1に記載のカード読取装置。
【請求項８】
浮き上げ機構の浮き上げ板において、その上の収納空間には、複数の溝があり、各当該溝は、前記の信号端子組の各当該接触部に対応することを特徴とする請求項1に記載のカード読取装置。
【考案の詳細な説明】
【技術分野】
【０００１】
本考案は、「カード読取装置」に関し、特に、浮き上げ機構が増設されることにより、ある信号端子が、ある電子カードを挿着する時、保護されて、破損されることのないカード読取装置に関する。
【背景技術】
【０００２】
カード読取装置は、電子カードを挿着することに供され、当該電子カードと電子製品との間において、情報の取り扱いを行い、今において、電子カードは、様々の規格や大きさがあるため、種類が多くて、複数・イン・オンのカード読取装置が登場する。
【０００３】
従来の複数・イン・オンのカード読取装置は、複数の電子カードと電気的に接触するため、一般、対応する複数の信号端子組が設けられ、各当該信号端子組において、電気的に接触するための接触部は、互いに前後に位置ずれ、これにより、夫々、対応する電子カードと電気的に接触することができる。
【０００４】
従来の当該複数・イン・オンのカード読取装置は、前記のカード読み取りが実現できるが、各当該信号端子組の接触部が、互いに前後に位置ずれであるため、その内に位置する一部の信号端子組は、破損する恐れがあり、例えば、ＸＤカードと電気的に接触するためのＸＤ端子は、その接触部が、最外端（即ち、これらの電子カードを挿着するためのカード引き受け部の最も近いところ）に位置し、ＭＳカードと電気的に接触するためのＭＳ端子は、その接触部が、ほぼ最内端に位置し、ＳＤカードと電気的に接触するためのＳＤ端子は、その接触部が、ＸＤ端子の接触部にやや近いように、前記の二つの接触部の間に位置し、言いかえれば、外端から内端への順は、ＸＤ端子接触部、ＳＤ端子接触部、ＭＳ端子接触部である。ユーザーがＳＤカードを挿着する時、当該ＳＤカードの前縁の底面により、ＸＤ端子の接触部が破損され、特に、前縁の底面に、凸凹である鋸歯部が形成されるＭＳカードが、端子を破損しやすく、最悪の場合、当該ＭＳカードのＭＳ端子接触部の位置が、カード引き受け口の最も遠い位置である時、当該ＭＳカードを挿着することにより、まず、ＸＤ端子が破損され、続いて、ＳＤ端子が破損され、端子に永久の破壊を与えることや、電気的に接触する品質が悪くなること等の欠陥になる。
【０００５】
本発明者は、上記の欠陥が改善可能であるため、慎重に研究して、また、学理に合わせて、設計が合理的で、有効に上記の欠陥を改善する考案を提案する。
【考案の開示】
【考案が解決しようとする課題】
【０００６】
本考案の目的は、有効的に、“挿着後の接触位置がより内側である”電子カードが、より外側に位置する端子を破損しないように、スムーズにカード引き受け動作を行うことにより、各当該信号端子が容易に破損されず、そして、大幅に信号端子の長寿命化が実現できる、「カード読取装置」を提供する。
【課題を解決するための手段】
【０００７】
本考案は、上記の目的を達成するため、
内部にあるカード収納空間において、対向する位置に、夫々、二つの軸着部が設けられる、絶縁主体と、
当該絶縁主体に設けられ、各当該信号端子に、夫々、接触部があり、そして、各当該接触部の末端に形成される端部がある、複数の信号端子組と、
収納空間がある浮き上げ板と、当該浮き上げ板と絶縁主体との間に設けられる弾性素子と、を有し、当該浮き上げ板の一辺の両端が前記の軸着部に軸着され、前記の一つの信号端子組の各当該接触部が、当該収納空間に対応し、前記のもう一つの信号端子組の各当該端部が、当該浮き上げ板のもう一辺に対応する、浮き上げ機構と、がある、カード読取装置を提供する。
【考案を実施するための最良の形態】
【０００８】
図面を参照しながら、本考案に係わる技術の特徴や目的及び効果を、以下の実施例により、詳しく説明する。
【０００９】
本考案に係わるカード読取装置は、図１〜６のように、少なくとも一つの電子カードが挿着可能であり、様々の電子カードと電子製品との間に、情報の取り扱いが行われ、絶縁主体１と、当該絶縁主体１上に設けられる複数の信号端子組２と、同じように当該絶縁主体１上に設けられるある信号端子組を保護する浮き上げ機構３と、がある。もちろん、当該絶縁主体１内には、更に、電子カードを排出するための排出機構が設けられ、そして、当該絶縁主体１外には、少なくとも一つの金属外枠が覆われるが、本考案の特徴と関係ないから、図に表示されない。
【００１０】
当該絶縁主体１において、その内部には、複数の電子カードを挿着できるカード収納空間１５があり、その一辺には、電子カードを挿着するためのカード引き受け口１４があり、当該カード引き受け口１４は、当該カード収納空間１５に連通する。当該絶縁主体１において、前記のカード引き受け口１４の二つの対向する内側壁には、夫々、当該浮き上げ機構３に軸着される軸着部１１が設けられ、各当該軸着部１１は、当該浮き上げ機構３が軸着するための、当該絶縁主体１内側壁の内へ凹む、一端が開口部である凹槽である。当該絶縁主体１の一内面には、複数の第１の定位部１２と複数の制限構造１３が設けられ、この第１の定位部１２と制限構造１３の詳しくについては、後述のようである。
【００１１】
複数の信号端子組２には、少なくとも、第１の、第２の組２１、２２の信号端子組があり、各組は、ともに、当該絶縁主体１上に設けられる。各当該信号端子組には、複数の信号端子があり、各当該信号端子には、夫々、一端に位置する接触部（例えば、信号端子組の第２の組２２の接触部２２０である）と、もう一端の溶接部とがあり、また、前記の第１の組２１の各当該接触部の末端には、夫々、端部２１０が形成される。その中、当該信号端子組の第１の組２１は、当該絶縁主体１の一内面に設置され、絶縁板２１１により、当該内面上に押さえられて位置付けし、当該信号端子組の第２の組２２は、当該絶縁主体１の一外面に設置され、もう一つの絶縁板２２１により、当該外面上に押さえられて位置付けするが、この二つの絶縁板は、本考案の特徴ではないため、説明を省略し、そして、図１以外の図には、表示されていない。
【００１２】
当該浮き上げ機構３には、浮き上げ板３１と、当該浮き上げ板３１と絶縁主体１の内面との間に設けられる複数の弾性素子３２とがあり、当該浮き上げ板３１には、少なくとも二つの突出３１１と、少なくとも二つの軸着軸３１２と、収納空間３１３と、少なくとも二つの翼部３１４と、湾曲部３１５と、があり、また、各当該弾性素子３２には、夫々に、固定部３２１が設けられる。
【００１３】
その中、当該収納空間３１３は、当該浮き上げ板３１上に設けられ、前記の信号端子組の第２の組２２の各当該接触部２２０を収納し、また、当該収納空間３１３には、複数の溝があり、各当該溝は、第２の組２２の各当該接触部２２０に対応するため、収納する効果が得られる。当該浮き上げ板３１において、前記のカード引き受け口１４の近くに或る一辺には、止める作用、そして電子カードの挿着を案内する作用のある湾曲部３１５が設けられ、当該湾曲部３１５は、当該浮き上げ板３１の当該辺が当該絶縁主体１に対応する位置に止められる。当該浮き上げ板３１の当該辺の両端には、下へ突出する突出３１１があり、各当該突出３１１自身の高さは、前記のカード収納空間１５の高さ（図８のように、これにより、その二つの軸着軸３１２が、各当該軸着部１１から外れや位置ずれすることはない）と同じで、当該二つの突出３１１に対応する外側のベース部には、夫々、前記の軸着部１１に対応する軸着軸３１２が設けられ、当該二つの軸着軸３１２を、対応する軸着部１１内に置き入れることにより、当該浮き上げ板３１が絶縁主体１に軸着され、そして、舌のように、掻き回すことができる。当該浮き上げ板３１の対向する二つの側辺には、夫々、翼部３１４が設けられ、各当該翼部３１４と当該浮き上げ板３１との間には、ともに、絶縁主体１の内面へ湾曲する湾曲段（符号が表示されていない）が接続される。
【００１４】
当該絶縁主体１の前記の内面には、前記の二つの翼部３１４に対応する二つの制限構造１３が設けられ、各当該制限構造１３には、前記翼部３１４が往復に移動できるように、当該絶縁主体１上に設けられる凹槽１３１と、当該凹槽１３１を囲むように設けられる位置付け部１３２と、当該位置付け部１３２上に設けられる複数の固定体１３３と、当該位置付け部１３２により位置付けられるストッパー１３４と、があり、各当該ストッパー１３４には、前記固定体１３３に対応する固定部１３５が設けられ、当該固定体１３３と固定部１３５との間の固定は、係合や鋲接或いはホットメルトであり、これにより当該ストッパー１３４は、前記の各当該固定体１３３により固定され、そして、前記の位置付け部１３２により、当該ストッパー１３４は、半分ぐらいに、当該凹槽１３１上を覆い、そして、当該浮き上げ板３１の二つの翼部３１４は、当該ストッパー１３４の制限により、前記の凹槽１３１内で動くことができ、これにより、当該浮き上げ板３１において、舌のような掻き回すことが、掻き回す程度に制限され、また、当該浮き上げ板３１と翼部３１４との間にある前記の接続段は、当該凹槽１３１の半分の覆われない位置で伸縮する。
【００１５】
当該絶縁主体１の前記の内面と当該浮き上げ板３１と隣接する鄰接面には、夫々、少なくとも二つの第１の定位部１２と、少なくとも二つの第２の定位部３１６が設けられ、当該第１の、第２の定位部１２、３１６は、互いに対向し、また、各当該第１の定位部１２内には、固定体１２１が設けられ、前記の各当該弾性素子３２は、各当該第１の定位部１２に固定され、各当該弾性素子３２の固定部３２１と各当該固定体１２１との固定は、係合や鋲接或いはホットメルトで（前記の固定体１３３と固定部１３５と同じ）、そして、各当該弾性素子３２の両末端が、各当該第２の定位部３１６に当接することにより、当該浮き上げ板３１は、舌のように、弾性的に掻き回すことができる。上記の構成により、本考案に係わるカード読取装置が形成される。
【００１６】
図６と図７を参照しながら、当該浮き上げ板３１の収納空間３１３が、前記の信号端子組の第２の組２２の各当該接触部２２０に対応し、前記の浮き上げ板３１の当該辺のもう一辺が、前記の信号端子組の第１の組２１の各当該端部２１０に対応するため、当該浮き上げ機構３の浮き上げ板３１が、各当該弾性素子３２により持ち上げられる自由状態である時、当該信号端子組の第２の組２２（例えば、ＸＤ端子）と当該信号端子組の第１の組２１（例えば、ＳＤ端子）の各当該信号端子を保護でき、これにより、これらの“挿着後の接触位置がより内側である”電子カード（例えば、ＭＳカード）の挿着動作により破損することがない。
【００１７】
図８のように、これらの“挿着後の接触位置がより外側である”電子カード（例えば、ＸＤカードのＸＤ端子が、前記の第２の組２２である）を挿着する時、弾性的に、当該浮き上げ機構３の浮き上げ板３１を下へ押すことにより、当該信号端子組の第２の組２２の各当該接触部２２０が、前記の収納空間３１３に露出して、当該電子カード（ＸＤカード）の接触点と電気的に接触され、また、当該下へ押される浮き上げ板３１のもう一辺が、前記の信号端子組の第１の組２１の各当該端部２１０を圧迫することにより、当該信号端子組の第１の組２１の各当該信号端子（例えば、ＳＤ端子）は、対応する予圧（Pre-Load）を発生するという効果が得られる。
【００１８】
前記の二つの絶縁板２１１、２２１が当該絶縁主体１に固定される方式は、前記のストッパー１３４または、前記の弾性素子３２の係合や鋲接或いはホットメルトの固定方式と同じで、そのため、符号が表示されていない穴状の固定部と柱状の固定体とも、設けられる。
【００１９】
前記の各当該信号端子組２について、その中の第１の、第２の組２１、２２を例として、各組とも、図のように、設置や位置付けのため、テープにより接続されるが、作製を完成する前、それを切り分けることが必要である。
【００２０】
前記のような本考案の構造によれば、本考案に係わるカード読取装置に、浮き上げ機構３が設けられるため、各当該“接触位置がより外側である”信号端子（例えば、ＸＤ端子、ＳＤ端子）を保護でき、これらの“挿着後の接触位置がより内側である”電子カード（例えば、ＭＳカード）の挿着動作によって、破損されることがなく、また、これらの保護される信号端子は、電気的に接触することが、必要である時、これらの浮き上げ機構３の作用により、電気的に接触する目的が達成されるから、各当該信号端子が容易に破損することを防止でき、大幅に、信号端子の寿命を向上し、また、良い電気的に接触する品質等の効果が得られ、そして、これらの信号端子（例えば、ＳＤ端子）を圧迫することにより、予圧（Pre-Load）を発生するという効果が得られる。
【００２１】
以上の陳述のように、本考案が提案するカード読取装置は、従来のカード読取装置の諸欠陥を解決でき、産業上の利用性や新鋭性及び進歩性があり、実用新案登録請求の要件に満たすため、法に従って出願する。
【００２２】
本考案は、実施例により、説明されるが、本考案の実用新案登録請求の範囲内に掲示される広義的な精神や観点に従って、変更や修正などの変化により、等価な機能を達成できるものは、本考案の実用新案登録請求の範囲に含まれている。
【図面の簡単な説明】
【００２３】
【図１】本考案に係わるカード読取装置の分解斜視図
【図２】本考案に係わるカード読取装置の絶縁主体の他の角度の斜視図
【図３】本考案に係わるカード読取装置の浮き上げ機構の他の角度の底面斜視図
【図４】本考案に係わるカード読取装置に弾性素子と絶縁板がない時の一部の立体組み立て図
【図５】本考案に係わるカード読取装置に弾性素子があるが絶縁板がない時の他の角度の一部の立体組み立て図
【図６】本考案に係わるカード読取装置が組み立てられた後の動作前の斜視図（絶縁板がない）
【図７】本考案に係わるカード読取装置が組み立てられた後の他の角度の動作前の斜視図（絶縁板がない）
【図８】本考案に係わるカード読取装置が図７の動作を行った後の斜視図（絶縁板がない）
【符号の説明】
【００２４】
１  絶縁主体
１１  軸着部
１２  第１の定位部
１２１  固定体
１３  制限構造
１３１  凹槽
１３２  位置付け部
１３３  固定体
１３４  ストッパー
１３５  固定部
１４  カード引き受け口
１５  カード収納空間
２  信号端子組
２１  第１の組
２１０  端部
２１１  絶縁板
２２  第２の組
２２０  接触部
２２１  絶縁板
３  浮き上げ機構
３１  浮き上げ板
３１１  突出
３１２  軸着軸
３１３  収納空間
３１４  翼部
３１５  湾曲部
３１６  第２の定位部
３２  弾性素子
３２１  固定部
【図１】
0003109587.tif 000003
【図２】
0003109587.tif 000004
【図３】
0003109587.tif 000005
【図４】
0003109587.tif 000006
【図５】
0003109587.tif 000007
【図６】
0003109587.tif 000008
【図７】
0003109587.tif 000009
【図８】
0003109587.tif 000010